(57)【要約】【課題】情報処理装置と、情報処理装置に接続されたディスプレイ装置との入力又は出力を適切に制御することができる情報処理装置、情報処理方法を提供すること。【解決手段】自装置で実行されるアプリケーションを示す情報と、該アプリケーションについて、自装置に接続されたディスプレイ装置の表示に基づく入力又は該ディスプレイ装置への表示が許可されているか否かを示す情報とを対応付けた管理情報を記憶する管理情報記憶部と、自装置で表示しているアプリケーションを示す情報と前記管理情報とを照合することで、前記表示しているアプリケーションに対する入力、又は前記ディスプレイ装置への表示を制御する制御部と、を備えることを特徴とする情報処理装置である。【選択図】図１
2014186542.tif 000002
【特許請求の範囲】
【請求項１】
自装置で実行されるアプリケーションを示す情報と、該アプリケーションについて、自装置に接続されたディスプレイ装置の表示に基づく入力又は該ディスプレイ装置への表示が許可されているか否かを示す情報とを対応付けた管理情報を記憶する管理情報記憶部と、
自装置で表示しているアプリケーションを示す情報と前記管理情報とを照合することで、前記表示しているアプリケーションに対する入力、又は前記ディスプレイ装置への表示を制御する制御部と、
を備えることを特徴とする情報処理装置。
【請求項２】
前記管理情報記憶部は、自装置で実行されるアプリケーションを示す情報と、該アプリケーションについて自装置に接続されたタッチパネル付きのディスプレイ装置からのタッチ操作が許可されているか否かを示す情報とを対応付けた入力管理情報を記憶し、
前記制御部は、自装置で表示しているアプリケーションを示す情報を取得し、前記タッチ操作を表す情報を、前記表示しているアプリケーションに入力するか否かを判定する
を備えることを特徴とする請求項１に記載の情報処理装置。
【請求項３】
前記管理情報記憶部は、前記自装置で実行されるアプリケーションを示す情報と、該アプリケーションについて、ユーザに情報通知を行うための情報通知用の画像を前記ディスプレイ装置に出力することが許可されているか否かを示す情報とを対応付けた出力管理情報を記憶し、
前記制御部は、情報通知用の画像の生成が要求されるアプリケーションを示す情報を取得し、前記情報通知用の画像を、前記ディスプレイ装置に出力するか否かを判定する
を備えることを特徴とする請求項１に記載の情報処理装置。
【請求項４】
前記入力情報制御部は、
前記表示領域に前記情報通知用の画像であって、前記出力情報制御部が前記ディスプレイ装置に出力しないと判定した画像が表示されており、前記タッチ操作が、前記情報通知用の画像が表示されている領域に相当するときは、前記自装置の表示領域を占有しているアプリケーションに対して、前記タッチ操作を表す情報を出力すること
を特徴とする請求項２に記載の情報処理装置。
【請求項５】
自装置で実行されるアプリケーションを示す情報と、該アプリケーションについて、自装置に接続されたディスプレイ装置の表示に基づく入力又は該ディスプレイ装置への表示が許可されているか否かを示す情報とを対応付けた管理情報を記憶する管理情報記憶部を備えた情報処理装置の情報処理方法であって、
自装置で表示しているアプリケーションを示す情報と前記管理情報とを照合することで、前記表示しているアプリケーションに対する入力、又は前記ディスプレイ装置への表示を制御する過程、
を有することを特徴とする情報処理方法。
【発明の詳細な説明】
【技術分野】
【０００１】
この発明は、情報処理装置、情報処理方法に関する。
【背景技術】
【０００２】
近年、携帯電話端末などの情報処理装置には、外部ディスプレイを接続することで、情報処理装置とは大きさの異なるディスプレイに、情報処理装置に表示されている画像を表示させるものがある。
【０００３】
特許文献１には、タッチパネルディスプレイを備え、かつマルチディスプレイ機能を備えた小型のパーソナル・コンピュータに、セカンダリモニターとして使用される外部ディスプレイを接続し、（ａ）外部ディスプレイの画面上に表示される画面イメージと同一又は類似する画面イメージを小型のパーソナル・コンピュータの画面に表示すること、（ｂ）小型のパーソナル・コンピュータのタッチ位置に対応する外部ディスプレイの画面イメージの位置を指定することが記載されている。
【先行技術文献】
【特許文献】
【０００４】
【特許文献１】特開２０１１−１７０９０２号公報
【発明の概要】
【発明が解決しようとする課題】
【０００５】
ところで、特許文献１に記載の情報処理装置は、外部ディスプレイの接続先の情報処理装置内の公開したくない情報を外部ディスプレイへ出力し、該情報が外部ディスプレイに表示されることで、該情報が漏洩してしまうという問題がある。また、情報処理装置は、外部ディスプレイからの表示に基づく入力を受け付けてしまうと、情報処理装置内の情報が改竄されてしまうという問題がある。このように、従来技術では、情報処理装置と、情報処理装置に接続されたディスプレイ装置との入力又は出力を、適切に制御できない場合がある。
【０００６】
そこで本発明は、上記従来技術の問題に鑑みてなされたものであり、情報処理装置と、情報処理装置に接続されたディスプレイ装置との入力又は出力を適切に制御することができる情報処理装置、情報処理方法を提供することにある。
【課題を解決するための手段】
【０００７】
この発明は、上記問題を解決するためになされたもので、自装置で実行されるアプリケーションを示す情報と、該アプリケーションについて、自装置に接続されたディスプレイ装置の表示に基づく入力又は該ディスプレイ装置への表示が許可されているか否かを示す情報とを対応付けた管理情報を記憶する管理情報記憶部と、自装置で表示しているアプリケーションを示す情報と前記管理情報とを照合することで、前記表示しているアプリケーションに対する入力、又は前記ディスプレイ装置への表示を制御する制御部と、を備えることを特徴とする情報処理装置である。
【発明の効果】
【０００８】
本発明によれば、情報処理装置と、情報処理装置に接続されたディスプレイ装置との入力又は出力を適切に制御することができる情報処理装置、情報処理方法を提供することができる。
【図面の簡単な説明】
【０００９】
【図１】本発明の一実施形態に係る情報処理装置の利用状況を示す外観図である。
【図２】第１の実施形態における情報処理装置と、ディスプレイ装置との構成を示す概略ブロック図である。
【図３】第１の実施形態における管理情報を表すテーブルの一例である。
【図４】第１の実施形態における入力情報制御部の動作を説明するフローチャートである。
【図５】第２の実施形態における情報処理装置と、ディスプレイ装置との構成を示す概略ブロック図である。
【図６】第３の実施形態における情報処理装置と、ディスプレイ装置との構成を示す概略ブロック図である。
【発明を実施するための形態】
【００１０】
[第１の実施形態]
以下、図面を参照して、第１の実施形態について説明する。
図１は、情報処理装置１００の利用状況を示す外観図である。情報処理装置１００は、板状の筐体にコンピュータ本体としての処理機能、入力装置としてのタッチパネル、表示装置としてのディスプレイ、スピーカ、マイクロホン、その他に無線ＬＡＮ、携帯電話の機能を備えたスマートフォンやタブレット端末である。また、情報処理装置１００は、タッチパネルを備えた小型のパーソナル・コンピュータであってもよい。情報処理装置１００の表示装置は、液晶ディスプレイパネルとか有機ＥＬディスプレイパネルである。情報処理装置１００のタッチパネルは、表示装置のパネルに重ねて配置され、抵抗膜方式又は静電容量方式を用いてユーザの指又はペンによってタッチパネル上のタッチ位置を検出する。
【００１１】
情報処理装置１００は、ディスプレイ装置２００とＵＳＢケーブルとかＩＥＥＥ１３９４ケーブルとかの通信用ケーブル３００により接続されている。また、情報処理装置１００とディスプレイ装置２００とは、ブルートゥースとか無線ＬＡＮの無線技術により接続されてもよい。ディスプレイ装置２００は、タッチパネルとディスプレイパネルとが組み合わさったタッチディスプレイパネルを備えており、小型から大型まで、例えば５インチから７０インチまでのさまざまな寸法のものであることができる。
情報処理装置１００は、通信用ケーブル３００を介してディスプレイ装置２００に映像情報を送信し、またディスプレイ装置２００は、タッチパネル上のタッチ位置を示す座標情報と時刻を、通信用ケーブル３００を介して情報処理装置１００に送信する。
【００１２】
情報処理装置１００がディスプレイ装置２００と通信用ケーブル３００を介して接続されているときは、ディスプレイ装置２００は、情報処理装置１００の表示装置に表示される画面イメージに対するコピー画面イメージを、通信用ケーブル３００を介してディスプレイ装置２００の表示装置に表示する。このコピー画面イメージは、原画像イメージと同じ解像度のものか又は高解像度のものであることができる。また、ディスプレイ装置２００は、そのタッチパネル上のタッチ位置を示す座標情報を、通信用ケーブル３００を介して情報処理装置１００に送信する。なお、ユーザからの指示操作があったときのみ、情報処理装置１００は、ディスプレイ装置２００にコピー画面イメージを通信用ケーブル３００を介して送信し、また、ディスプレイ装置２００は、タッチパネル上のタッチ位置を示す座標情報と時刻を、通信用ケーブル３００を介して情報処理装置１００に送信してもよい。
【００１３】
図２は、情報処理装置１００とディスプレイ装置２００との機能構成を示す概略ブロック図である。
情報処理装置１００は、アプリケーション１０１と、管理情報記憶部１０２と、出力情報制御部１０３と、内部用画像バッファ部１０４と、タッチ情報取得部１０５と、外部タッチ情報取得部１０６と、外部用画像バッファ部１０７と、表示部１０８と、タッチパネル１０９と、タッチ情報通信部１１０と、画像通信部１１１と、入力情報制御部１１３と、表示画像生成部１１４とを含んで構成される。また、ディスプレイ装置２００は、表示部２０８と、タッチパネル２０９と、タッチ情報通信部２１０と、画像通信部２１１とを含んで構成される。
【００１４】
タッチパネル１０９は、表示部１０８の表面に重ねて設置されており、ユーザがタッチしたタッチ位置を検出する。
タッチ情報取得部１０５は、タッチパネル１０９から、タッチ位置を示す情報を取得すると、該タッチ位置を示す情報に基づいて、タッチ操作を表す情報として、該タッチ位置の座標を、入力情報制御部１１３に出力する。
【００１５】
タッチ情報通信部１１０は、通信用ケーブル３００を介して、ディスプレイ装置２００と通信し、ディスプレイ装置２００からタッチ位置を示す情報を取得する。タッチ情報通信部１１０は、ディスプレイ装置２００にタッチ操作が行われる度に、ディスプレイ装置２００から、該タッチ位置を示す情報として、該タッチ位置の座標を取得する。タッチ情報通信部１１０は、該タッチ位置を示す情報を取得すると、該タッチ位置を示す情報を、入力情報制御部１１３に出力する。
【００１６】
外部タッチ情報取得部１０６は、タッチ情報通信部１１０から、タッチ位置を示す情報を取得すると、該タッチ位置を示す情報に基づいて、該タッチ位置の座標を入力情報制御部１１３に出力する。
【００１７】
入力情報制御部１１３は、タッチ操作判定部１０５から、タッチ位置を示す座標を取得すると、タッチ操作を表す情報として、該タッチ位置を示す座標を、アプリケーション１０１に出力する。入力情報制御部１１３は、外部タッチ操作判定部１０６から、該タッチ位置を示す座標を取得すると、管理情報記憶部１０２から、管理情報を読み込む。また、入力情報制御部１１３は、該タッチを示す情報を取得すると、アプリケーション１０１から、アプリケーションの個別識別可能な情報を取得する。個別識別可能な情報は、例えば、アプリケーションの名前や、アプリケーションの商品番号等であるが、これらに限定されない。
【００１８】
管理情報記憶部１０２に記憶された管理情報（入力管理情報）は、情報処理装置１００上で起動する各種アプリケーションの情報が格納されたアプリテーブルである。管理情報記憶部１０２に記憶された管理情報の詳細は後述する。アプリテーブルは、アプリケーション１０１の各種情報が格納されており、その中には、ディスプレイ装置２００からタッチ位置を示す座標を取得した場合、該タッチ位置を示す座標を、アプリケーション１０１に出力することを許可するか否かの情報（以下、許可判定情報という）も格納している。
【００１９】
入力情報制御部１１３は、管理情報と、個別識別可能な情報とを照合することで、外部タッチ情報取得部１０６から取得したタッチ位置を示す座標を、アプリケーション１０１に入力するか否かを判定（以降、「入力判定」という）する。この判定の詳細は後述する。入力情報制御部１１３は、タッチ位置を示す座標を、アプリケーション１０１に入力すると判定された場合、タッチ操作情報を、アプリケーション１０１に出力して、タッチ位置を示す座標に基づいて、タッチ操作の種別を判定させる。入力情報制御部１１３は、アプリケーション１０１に入力しないと判定された場合、このタッチ操作情報を破棄する。
管理情報記憶部１０２は、ユーザにより予め登録される管理情報を記憶する。
【００２０】
アプリケーション１０１は、情報処理装置１００において動作の行われる各種アプリケーションである。アプリケーション１０１は、入力情報制御部１１３から取得したタッチ位置を示す座標に基づいて、タッチ操作の種別を判定する。なお、本実施形態において、アプリケーション１０１がタッチ操作の種別を判定するが、これに限定されるわけではなく、例えば、情報処理装置１００が、アプリケーション１０１とは別に、タッチ操作の種別を判定するタッチ操作種別判定部を備えていてもよい。その場合、入力情報制御部１１３がアプリケーション１０１に出力する、タッチ操作を表す情報は、タッチ操作の種別等になる。アプリケーション１０１は、該タッチ操作の種別と、該タッチ位置を示す座標に基づいて、実行しているアプリケーションが要求する動作を行う。例えば、タッチ位置を示す座標が表すＡ地点、Ｂ地点に関して、タッチ操作の種別がＡ地点からＢ地点へのフリックと判定された場合、該フリックに基づいて、Ａ地点からＢ地点へのスクロールを行う。また、アプリケーション１０１は、実行しているアプリケーションが画像の表示を要求しているときは、この画像を表示部１０８もしくはディスプレイ装置２００に表示させるため、画像データを、出力情報制御部１０３を介して、表示画像生成部１１４に入力する。
【００２１】
出力情報制御部１０３は、アプリケーション１０１から、画像データを取得すると、表示画像生成部１１４に出力して、該画像データに基づいた表示画像を生成させる。
表示画像生成部１１４は、出力情報制御部１０３から、画像データを取得すると、該画像データに基づいて、表示部１０８、表示部２０８、それぞれの画面サイズに対応した内部表示画像と、外部表示画像とを生成する。表示画像生成部１１４は、該内部表示画像を、内部用画像バッファ部１０４に出力する。表示画像生成部１１４は、該外部表示画像を、外部用画像バッファ部１０７に出力する。
【００２２】
内部用画像バッファ部１０４は、画面１フレーム分、あるいは複数のフレーム分の内部表示画像を保持する。内部用画像バッファ部１０４は、保持した該内部表示画像の画像信号を、順番に表示部１０８に出力して表示させる。
外部用画像バッファ部１０７は、画面１フレーム分、あるいは複数のフレーム分の内部表示画像を保持する。外部用画像バッファ部１０７は、保持した該外部表示画像の画像信号を、順番に画像通信部１１１に出力して、ディスプレイ装置２００に送信させる。
画像通信部１１１は、外部用画像バッファ部１０７から、外部表示画像の画像信号を受けると、通信用ケーブル３００を介して、外部表示画像の画像信号を、画像通信部２１１に送信する。
【００２３】
画像通信部２１１は、通信用ケーブル３００を介して、画像通信部１１１から、外部表示画像の画像信号を受けると、外部表示画像の画像信号を、表示部２０８に出力して表示させる。
タッチパネル２０９は、表示部２０８の表面に設置されており、タッチ位置を検出する。表示部２０８は、液晶ディスプレイ等の表示デバイスを有し、画像を表示する。
タッチ情報通信部２１０は、タッチパネル２０９から、タッチ位置を示す情報を取得すると、通信用ケーブル３００を介して、該タッチ位置を示す情報を、タッチ情報通信部１１０に送信する。
【００２４】
図３は、管理情報記憶部１０２に記憶された管理情報であるアプリテーブルの一例を表す表である。管理情報ｔ１００は、アプリテーブルを構成する各フィールドを識別するための内部ＩＤであるアプリＩＤｔ１０１と、アプリケーションの各種情報を格納するアプリ情報ｔ１０２とが格納されている。入力情報制御部１１３は、アプリ情報ｔ１０２とを参照し、アプリケーション１０１の個別識別可能な情報に基づいて、アプリケーション１０１のアプリＩＤｔ１０１を検出する。その後、入力情報制御部１１３は、アプリケーション１０１のアプリＩＤｔ１０１の、アプリ情報ｔ１０２を参照する。入力情報制御部１１３は、アプリ情報ｔ１０２を参照することで、外部タッチ情報取得部１０６から取得したタッチ位置を示す座標を、アプリケーション１０１に入力しても良いか否かを示す情報である外部入力許可情報ｔ１０３が、許可になっているか否かで、入力判定を行う。
【００２５】
図４は、入力情報制御部１１３の動作を説明するフローチャートである。入力情報制御部１１３は、情報処理装置１００またはディスプレイ装置２００へ、タッチ操作が行われる度に、ステップＳＴ１００からＳＴ１０６までの処理を実行する。
入力情報制御部１１３は、タッチ位置を示す座標を取得する（ステップＳＴ１００）。
次に、入力情報制御部１１３は、タッチ位置を示す座標が、外部タッチ操作判定部１０６からのタッチ位置を示す座標か否かを判定する（ステップＳＴ１０１）。
【００２６】
入力情報制御部１１３は、該タッチ位置を示す座標が、外部タッチ操作判定部１０６からのタッチ位置を示す座標だったとき（ステップＳＴ１０１−Ｙｅｓ）、ステップＳＴ１０２に遷移する。入力情報制御部１１３は、該タッチ位置を示す座標が、外部タッチ操作判定部１０６からのタッチ位置を示す座標ではなかったとき（ステップＳＴ１０１−Ｎｏ）、ステップＳＴ１０６に遷移する。
【００２７】
入力情報制御部１１３は、アプリケーション１０１から、アプリケーションの個別識別可能な情報を取得する（ステップＳＴ１０２）。
次に、入力情報制御部１１３は、管理情報を取得する（ステップＳＴ１０３）。
次に、入力情報制御部１１３は、このアプリケーションの外部入力許可情報が、許可になっているか否かを判定する（ステップＳＴ１０４）。
【００２８】
入力情報制御部１１３は、該外部入力許可情報が、許可になっていたとき（ステップＳＴ１０４−Ｙｅｓ）、ステップＳＴ１０６に遷移する。入力情報制御部１１３は、該外部入力許可情報が、許可になっていなかったとき（ステップＳＴ１０４−Ｎｏ）、ステップＳＴ１０５に遷移する。
入力情報制御部１１３は、タッチ位置を示す座標を破棄する（ステップＳＴ１０５）。
入力情報制御部１１３は、タッチ位置を示す座標を、アプリケーション１０１に出力する（ステップＳＴ１０６）。
【００２９】
このように、管理情報記憶部１０２は、情報処理装置１００で実行されるアプリケーションを示す情報と、アプリケーションについて、情報処理装置１００に接続されたディスプレイ装置２００の表示に基づく入力が許可されているか否かを示す情報とを対応付けた管理情報を記憶する。入力情報制御部１１３は、情報処理装置１００で表示しているアプリケーションを示す情報と管理情報とを照合することで、情報処理装置１００で表示しているアプリケーションに対する入力を制御する。これにより、情報処理装置１００は、情報処理装置１００とディスプレイ装置２０との入力又は出力を適切に制御することができる。
例えば、入力情報制御部１１３は、ディスプレイ装置２００から取得したタッチ操作情報を、アプリケーション１０１の個別識別可能な情報と、管理情報記憶部１０２に記憶された管理情報とを照合することで入力判定を行うことで、ディスプレイ装置２００へのタッチ操作によって、情報処理装置１００内の公開したくない情報が漏えいしてしまうことを防止することができる。
なお、管理情報は、複数のアプリケーションを示す情報と、複数のアプリケーションについて、情報処理装置１００に接続されたディスプレイ装置２００の表示に基づく入力が許可されているか否かを示す情報を記憶してもよい。例えば、複数のアプリケーションを示す情報は、メール関係のアプリケーションであることを示す情報であり、入力情報制御部１１３は、メール関係のアプリケーションに対する入力を制御してもよい。
【００３０】
[第２の実施形態]
図５は、第２の実施形態における情報処理装置１００ａと、ディスプレイ装置２００との機能構成を示す概略ブロック図である。
第２の実施形態における情報処理装置１００ａは、占有アプリケーション１０１ａ、背景アプリケーション１０１ｂ、管理情報記憶部１０２ａ、出力情報制御部１０３ａ、内部用画像バッファ部１０４、タッチ情報取得部１０５、外部タッチ情報取得部１０６、外部用画像バッファ部１０７、表示部１０８、タッチパネル１０９、タッチ情報通信部１１０、画像通信部１１１、入力情報制御部１１３ａ、表示画像生成部１１４ａを含んで構成される。同図において、図２の各部に対応する部分には、同一の符号（１０４〜１１１、２０８〜２１１）を付し、説明を省略する。
【００３１】
無線部１１２は、音声通話の着信を示す情報や電子メールの着信を示す情報（以降、着信情報という）を、携帯電話の無線基地局から受信する。無線部１１２は、該着信情報を受信すると、該着信情報を、入力情報制御部１１３ａに出力する。
入力情報制御部１１３ａは、無線部１１２から、着信情報を取得すると、該着信情報を、背景アプリケーション１０１ａに出力して、音声通話や電子メールの着信を知らせる情報通知用の画像として、トースト表示の画像（以降、通知画像という）の画像データを生成させる。なお、本実施形態では、情報通知用の画像を、トースト表示の画像としたが、これに限定されない。例えば、情報通知用の画像は、表示領域上方にステータスバーが表示される情報処理装置の場合、このステータスバーの一部（Notification領域と呼ばれている領域）に表示される、音声通話や電子メールの着信を知らせる画像であってもよい。
【００３２】
入力情報制御部１１３ａは、占有アプリケーション１０１ａ、背景アプリケーション１０１ｂの個別識別可能な情報と、管理情報記憶部１０２ａに記憶された管理情報と、を照合することで、外部タッチ情報取得部１０６から取得したタッチ位置を示す座標を、占有アプリケーション１０１ａ、あるいは、背景アプリケーション１０１ｂに入力するか否かを判定する。入力情報制御部１１３ａは、タッチ位置を示す座標を、占有アプリケーション１０１ａ、あるいは、背景アプリケーション１０１ｂに入力すると判定された場合、タッチ操作情報を、占有アプリケーション１０１ａ、あるいは、背景アプリケーション１０１ｂに出力して、タッチ位置を示す座標に基づいて、タッチ操作の種別を判定させる。
【００３３】
また、入力情報制御部１１３ａは、出力情報制御部１０３ａがディスプレイ装置２００に出力しないと判定した、情報通知用の画像が表示部１０８に表示されている状況で、タッチ位置を示す座標が、該情報通知用の画像が表示されている領域に相当するときは、表示部１０８を占有しているアプリケーションに対して、該タッチ位置を示す座標を出力する。具体的には、入力情報制御部１１３ａは、出力情報制御部１０３ａから、表示部１０８に表示される、占有アプリケーション１０１ａが表示を要求する画像（以降、占有画像という）、通知画像についての内部領域情報、外部領域情報を取得する。内部領域情報は、表示部１０８の表示領域内の各座標値が、占有画像上の座標値なのか、あるいは、通知画像上の座標値なのかを表す情報を、表示部１０８の表示領域内の各画素に対応したセルに格納したテーブルである。外部領域情報は、表示部２０８の表示領域内の各座標値が、占有画像上の座標値なのか、あるいは、通知画像上の座標値なのかを表す情報を、表示部１０８の表示領域内の各画素に対応したセルに格納したテーブルである。なお、本実施形態において、内部領域情報、外部領域情報は、該テーブルとしたが、これに限定されない。例えば、内部領域情報、外部領域情報は、通知画像の表示領域内における四隅の座標値としてもよい。
【００３４】
入力情報制御部１１３ａは、タッチ情報取得部１０５から、タッチ位置を示す座標を取得すると、該内部領域情報を参照し、該タッチ位置を示す座標が、占有画像上なのか、あるいは、通知画像上なのかを判定する。該タッチ位置を示す座標が、占有画像上の場合、入力情報制御部１１３ａは、該タッチ位置を示す座標を、占有アプリケーション１０１ａに出力する。該タッチ位置を示す座標が、通知画像上の場合、入力情報制御部１１３ａは、該タッチ位置を示す座標を、背景アプリケーション１０１ｂに出力する。
【００３５】
入力情報制御部１１３ａは、外部タッチ情報取得部１０６から、タッチ位置を示す座標を取得すると、該領域情報を参照し、該タッチ位置を示す座標が、占有画像上なのか、あるいは、通知画像上なのかを判定する。該タッチ位置を示す座標が、占有画像上の場合、入力情報制御部１１３ａは、該タッチ位置を示す座標を、占有アプリケーション１０１ａに出力する。該タッチ位置を示す座標が、通知画像上の場合、入力情報制御部１１３ａは、該タッチ位置を示す座標を、背景アプリケーション１０１ｂに出力する。
【００３６】
占有アプリケーション１０１ａは、表示部１０８及び表示部２０８の表示領域を占有しているアプリケーションである。占有アプリケーション１０１ａは、占有画像の画像データを、出力情報制御部１０３ａに出力する。
背景アプリケーション１０１ｂは、情報処理装置１００ａのバックグラウンドで動作しているアプリケーションである。背景アプリケーション１０１ｂは、着信情報を取得すると、背景アプリケーション１０１ｂが表示を要求する、音声通話や電子メールの着信を知らせる通知画像として、トースト表示の画像（情報通知用の小さなウィンドウでディスプレイの下方から一時的にポップアップされる）の画像データを、出力情報制御部１０３ａに出力する。
【００３７】
出力情報制御部１０３ａは、占有画像の画像データとともに、通知画像の画像データを取得すると、管理情報記憶部１０２ａから、管理情報（出力管理情報）を読み込む。また、出力情報制御部１０３ａは、アプリケーション１０１ａから、占有アプリケーション１０１ａ、背景アプリケーション１０１ｂの個別識別可能な情報を読み込む。
【００３８】
出力情報制御部１０３ａは、占有アプリケーション１０１ａ、背景アプリケーション１０１ｂの個別識別可能な情報と、管理情報とを照合し、占有アプリケーション１０１ａ、背景アプリケーション１０１ｂそれぞれのアプリ情報の外部出力許可情報が、許可になっているか否かを判定する。占有画像、通知画像の両方が、出力情報制御部１０３ａに出力してもよい場合、占有画像の画像データとともに、通知画像の画像データを、表示画像生成部１１４ａに出力して、内部表示画像及び外部表示画像として合成させる。
【００３９】
出力情報制御部１０３ａは、背景アプリケーション１０１ｂの該外部出力許可情報が、許可になっていなかったとき、占有画像の画像データとともに、通知画像の画像データを、表示画像生成部１１４ａに出力して、内部表示画像として合成させる。また、出力情報制御部１０３ａは、表示画像生成部１１４ａに、占有画像の画像データのみを用いて、外部表示画像を生成させる。また、出力情報制御部１０３ａは、内部表示画像及び外部表示画像を、表示画像生成部１１４ａに生成させたのち、内部領域情報、外部領域情報を生成する。出力情報制御部１０３ａは、内部領域情報、外部領域情報を生成すると、内部領域情報、外部領域情報を、入力情報制御部１１３ａに出力する。
【００４０】
表示画像生成部１１４ａは、占有画像の画像データとともに、通知画像の画像データを受けると、出力情報制御部１０３ａの要求に従い、内部表示画像と、外部表示画像とを生成し、内部表示画像を内部用画像バッファ部１０４へ、外部表示画像を外部用画像バッファ部１０７へと出力する。
このように、管理情報記憶部１０２ａは、情報処理装置１００ａで実行されるアプリケーションを示す情報と、アプリケーションについて、情報処理装置１００ａに接続されたディスプレイ装置２００への表示が許可されているか否かを示す情報とを対応付けた管理情報を記憶する。出力情報制御部１０３ａは、情報処理装置１００ａで表示しているアプリケーションを示す情報と管理情報とを照合することで、情報処理装置１００ａで表示しているアプリケーションに対するディスプレイ装置２００への表示を制御する。これにより、情報処理装置１００ａは、情報処理装置１００ａとディスプレイ装置２００との入力又は出力を適切に制御することができる。
【００４１】
例えば、出力情報制御部１０３ａは、アプリケーション１０１ａから取得した通知画像の画像データを、占有アプリケーション１０１ａ、背景アプリケーション１０１ｂの個別識別可能な情報と、管理情報記憶部１０２ａに記憶された管理情報とを照合することで入力判定を行うことで、情報処理装置１００への音声通話や電子メールの着信によって、通知画像として表示されるトースト表示を、ディスプレイ装置２００上に表示させない。従って、情報処理装置１００は、通知画像が表示部２０８に表示されることによって、情報処理装置１００内の公開したくない情報が漏えいしてしまうことを防止することができる。
【００４２】
[第３の実施形態]
第３の実施形態における情報処理装置１００ｂは、第１の実施形態における情報処理装置１００の各部と、第２の実施形態における情報処理装置１００ａの各部を組み合わせたものである。
図６は、第３の実施形態における情報処理装置１００ｂと、ディスプレイ装置２００との機能構成を示す概略ブロック図である。
【００４３】
情報処理装置１００は、占有アプリケーション１０１ａ、背景アプリケーション１０１ｂ、管理情報記憶部１０２、管理情報記憶部１０２ａ、出力情報制御部１０３ａ、内部用画像バッファ部１０４、タッチ情報取得部１０５、外部タッチ情報取得部１０６、外部用画像バッファ部１０７、表示部１０８、タッチパネル１０９、タッチ情報通信部１１０、画像通信部１１１、無線部１１２、入力情報制御部１１３ｂ、表示画像生成部１１４ａを含んで構成される。また、ディスプレイ装置２００は、表示部２０８、タッチパネル２０９、タッチ情報通信部２１０、画像通信部２１１を含んで構成される。同図において、図１及び図２における各部に対応する部分には、同一の符号（１０１ａ、１０１ｂ、１０２、１０２ａ、１０３ａ、１０４〜１１２、１１４ａ、２０８〜２１１）を付し、説明を省略する。
【００４４】
入力情報制御部１１３ｂは、第１の実施形態の入力制御部１１３と、第２の実施形態の入力制御部１１３ａとを組み合わせた機能を持つ。従って、入力情報制御部１１３ｂは、入力判定を行い、かつ、無線部１１２から着信情報を取得し、さらに、出力情報制御部１０３ａから、内部領域情報、外部領域情報を取得する。  このように、情報処理装置１００は、第１の実施形態と第２の実施形態とを組み合わせて構成されることで、第１の実施形態及び第２の実施形態と同じ効果を総合して得られる。
【００４５】
なお、管理情報記憶部１０２、入力情報制御部１１３、出力情報制御部１０３は、すべてディスプレイ装置２００側に備わっていてもよい。この場合、情報処理装置１００は、ディスプレイ装置２００からの要求に従い、情報処理装置１００の画面を占有しているアプリケーションの個別識別可能な情報を、ディスプレイ装置２００へと出力する。
また、上記各実施形態において、占有アプリケーション１０１ａは、画面全体を占有するものでなくてもよい。例えば、複数のアプリケーションを同時に表示できる情報処理装置１００ｂの場合には、占有アプリケーション１０１ａは、画面の一部を占有するものであってもよい。また、出力情報制御部１０３ａは、該外部出力許可情報が、許可になっていなかったとき、通知画像を別の画像に置き換えて通知してもよい。例えば、出力情報制御部１０３ａは、通知画像として、黒塗りの画像や「非公開」を示す画像を通知してもよい。
【００４６】
また、図１における入力情報制御部１１３の機能を実現するためのプログラムをコンピュータ読み取り可能な記録媒体に記録して、この記録媒体に記録されたプログラムをコンピュータシステムに読み込ませ、実行することにより入力判定を行ってもよい。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００４７】
さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
以上、この発明の実施形態を図面を参照して詳述してきたが、具体的な構成はこの実施形態に限られるものではなく、この発明の要旨を逸脱しない範囲の設計変更等も含まれる。  
【００４８】
（１）本発明の一態様は、自装置で実行されるアプリケーションを示す情報と、該アプリケーションについて、自装置に接続されたディスプレイ装置の表示に基づく入力又は該ディスプレイ装置への表示が許可されているか否かを示す情報とを対応付けた管理情報を記憶する管理情報記憶部と、自装置で表示しているアプリケーションを示す情報と前記管理情報とを照合することで、前記表示しているアプリケーションに対する入力、又は前記ディスプレイ装置への表示を制御する制御部と、を備えることを特徴とする情報処理装置である。
【００４９】
（２）また、本発明の他の態様は、前記管理情報記憶部は、自装置で実行されるアプリケーションを示す情報と、該アプリケーションについて自装置に接続されたタッチパネル付きのディスプレイ装置からのタッチ操作が許可されているか否かを示す情報とを対応付けた入力管理情報を記憶し、前記制御部は、自装置で表示しているアプリケーションを示す情報を取得し、前記タッチ操作を表す情報を、前記表示しているアプリケーションに入力するか否かを判定するを備えることを特徴とする（１）に記載の情報処理装置である。
【００５０】
（３）また、本発明の他の態様は、前記管理情報記憶部は、前記自装置で実行されるアプリケーションを示す情報と、該アプリケーションについて、ユーザに情報通知を行うための情報通知用の画像を前記ディスプレイ装置に出力することが許可されているか否かを示す情報とを対応付けた出力管理情報を記憶し、前記制御部は、情報通知用の画像の生成が要求されるアプリケーションを示す情報を取得し、前記情報通知用の画像を、前記ディスプレイ装置に出力するか否かを判定するを備えることを特徴とする（１）に記載の情報処理装置である。
（４）また、本発明の他の態様は、前記入力情報制御部は、前記表示領域に前記情報通知用の画像であって、前記出力情報制御部が前記ディスプレイ装置に出力しないと判定した画像が表示されており、前記タッチ操作が、前記情報通知用の画像が表示されている領域に相当するときは、前記自装置の表示領域を占有しているアプリケーションに対して、前記タッチ操作を表す情報を出力することを特徴とする請求項２に記載の情報処理装置である。
（５）また、本発明の他の態様は、自装置で実行されるアプリケーションを示す情報と、該アプリケーションについて、自装置に接続されたディスプレイ装置の表示に基づく入力又は該ディスプレイ装置への表示が許可されているか否かを示す情報とを対応付けた管理情報を記憶する管理情報記憶部を備えた情報処理装置の情報処理方法であって、自装置で表示しているアプリケーションを示す情報と前記管理情報とを照合することで、前記表示しているアプリケーションに対する入力、又は前記ディスプレイ装置への表示を制御する過程、を有することを特徴とする情報処理方法である。
【産業上の利用可能性】
【００５１】
本発明は、情報処理装置にディスプレイ装置を接続する際に好適に用いられる。
【符号の説明】
【００５２】
１００・・・情報処理装置  １０１・・・アプリケーション  １０２・・・管理情報記憶部  １０３・・・出力情報制御部  １０４・・・内部用画像バッファ部  １０５・・・タッチ情報取得部  １０６・・・外部タッチ情報取得部  １０７・・・外部用画像バッファ部  １０８・・・表示部  １０９・・・タッチパネル  １１０・・・タッチ情報通信部  １１１・・・画像通信部  １１２・・・無線部  １１３・・・入力情報制御部  １１４・・・表示画像生成部  ２００・・・ディスプレイ装置  ２０８・・・表示部  ２０９・・・タッチパネル  ２１０・・・タッチ情報通信部  ２１１・・・画像通信部  ３００・・・通信用ケーブル
【図１】
2014186542.tif 000003
【図２】
2014186542.tif 000004
【図３】
2014186542.tif 000005
【図４】
2014186542.tif 000006
【図５】
2014186542.tif 000007
【図６】
2014186542.tif 000008